(57)【特許請求の範囲】
【請求項１】
標識表示部を有する板状の本体と、該本体の上端面に一端が接続された帯状の係止バンド部と、該本体部の前記上端面又はその近傍に開口し、係合片を有する係合貫通孔とからなり、前記係止バンド部は、前記係合貫通孔に対して挿入方向においては挿通可能で、かつ、前記挿入方向と逆方向においては前記係合片と係合して移動不能とする係止歯を、該係止バンド部の長手方向に複数個配列しており、
前記標識表示部は微小突起の集合体で形成されており、この微小突起の集合体は、押圧によって圧壊されて圧壊されない背景とは異なる光沢によって刻印を表示するように構成したことを特徴とする合成樹脂製封緘具。
【請求項２】
前記標識表示部の微小突起の集合体は、押圧により圧壊する際に白化現象を生ずる材料によって構成されていることを特徴とする請求項１記載の合成樹脂製封緘具。
【請求項３】
前記係止バンド部の前記本体との接続部近傍に、手操作による破断が可能な脆弱部を設けたことを特徴とする請求項１あるいは２記載の合成樹脂製封緘具。
【発明の詳細な説明】
【０００１】
【発明の属する技術分野】
本発明は、タクシーメータ等の検定済の計量器の封緘等に使用される合成樹脂製の封緘具に関するものである。
【０００２】
【従来の技術】
タクシーメータ等の計量器は、そのメータの指示値が正確であることを保証するために、調整及び検定した後はメータの中を勝手に再調整できないようにメータの蓋を封緘している。
【０００３】
この封緘は、従来では、銅線等の針金と鉛やロウ等のシール部材を使用して、蓋と本体との間を針金でループを形成して蓋が殆ど開かないように結線し、この結線部分をシール部材で固めると共に、このシール部材部分に検査機関や保証者が保有している独自の刻印を押圧している。
【０００４】
この封緘を解くためには、この銅線等の針金を切断したり、結線部分の鉛等のシール部材を剥がして結線を解除する必要があるので、針金部分とこの刻印のあるシール部材部分の損傷が無く健全であれば、この封緘は解かれていないと見なすことができる。
【０００５】
つまり、この封緘及び刻印は、封緘部分が解除された時に、その解除の事実が明らかになるように、解除された時の証拠を与えるものである。
【０００６】
このような封緘は、各種のメータ以外にも、使用されており、移送用の現金バッグや移送用コンテナ等の封緘も同様に行なわれている。
【０００７】
また、特開平１０−１０１１１１号公報においては、図１６に示すような弾性変形可能なフィラメント部１の両端に、タブＴ付きのソケット部２とこのソケット部２の挿入孔２ｂに係合する係合頭部４を設けた合成樹脂製の封緘具１０が提案されており、この封緘具１０を使用する場合には、図１７に示すように、フィラメント部１の先端の係合頭部４をソケット部２の挿入孔２ｂに差し込むだけで封緘作業をきわめて簡単に行なえる。そして、ソケット部２より突出して形成されたタブＴに刻印をしている。
【０００８】
【発明が解決しようとする課題】
しかしながら、これらの封緘においては、銅線等の針金と鉛等のシール部材でループを形成する手作業は面倒であり、注意力が散漫であるとシール部材の端部で針金を保持し、少しの力でシール部材から針金がずれて外れてしまうこともあり、１００％確実な封緘を行なうことができないという問題がある。
【０００９】
特に、中途半端に封緘作業を行なって封緘が不完全になった場合に、針金が外れているのが、封緘ミスであるのか、故意に封緘が解かれたのかを判断するのが難しくなるため、開封の証拠として不十分になるので、封緘の機能が果たせないことになる。
【００１０】
また、特開平１０−１０１１１１号公報の封緘具においては、係合頭部４とソケット部２の係合によって形成されるループの大きさが一定であり、しかも、フィラメント部１の先端に係合頭部４が形成されているので、小さなループの形成ができない。そのため、タクシーメータの封緘では蓋を開く余裕が生じてしまうので十分な封緘ができず、このような小さな部分の封緘には使用できないという問題がある。
【００１１】
本発明はこのような問題点を解決するためになされたものであって、その目的は、最小ループを形成する封緘作業を簡単に行なうことができ、封緘を確実に行なったか否かの判断が容易であり、しかも、識別標識の表示が簡単にできる封緘具を提供することにある。
【００１２】
【課題を解決するための手段】
前記目的を達成するための本発明の封緘具は、次のように構成される。
【００１３】
１）標識表示部を有する板状の本体と、該本体の上端面に一端が接続された帯状の係止バンド部と、該本体部の前記上端面又はその近傍に開口し、係合片を有する係合貫通孔とからなり、前記係止バンド部は、前記係合貫通孔に対して挿入方向においては挿通可能で、かつ、前記挿入方向と逆方向においては前記係合片と係合して移動不能とする係止歯を、該係止バンド部の長手方向に複数個配列しており、前記標識表示部は微小突起の集合体で形成されており、この微小突起の集合体は、押圧によって圧壊されて圧壊されない背景とは異なる光沢によって刻印を表示するように構成したことを特徴としている。
【００１４】
係合貫通孔は、本体の上端面、又は、側端面等の上端面に近い部分に開口部を有して形成され、出口側の開口部は、この入口側の開口部に挿入した係止バンド部が円滑に挿通するように形成される。また、係止バンド部の接続部分と係合貫通孔との相対位置は、平行である方が挿入し易いが、傾斜していてもよく、平行状態に限定されるものではない。
【００１５】
この構成によれば、複数個配列した係合歯が並んだ係止バンド部を係合貫通孔に挿通し、先端を引張ることにより、順次、係合歯が係合貫通孔の係止片に係合するので、最小ループを簡単に形成して、固定することができる。
【００１６】
この係止バンド部は帯状に形成されているので、フィラメント状のものより、断面積を大きく取れ、引張強度を大きくできる。そのため、小さな部分の封緘に使用できるように、封緘具の全体や係止バンド部を小さく形成した時でも、係止バンド部の先端を引張ってループを小さくする際に破損する恐れがなくなる。
【００１７】
また、係止バンド部が帯状であるので持ちやすく、先端の帯状部分や係合歯の両両側面に広がる平坦な帯状部分が案内の役割を果たすので、係合貫通孔に挿通し易い。
【００１８】
そして、この係止バンド部を係合貫通孔に挿通するだけで、ループの形成が確実にでき、中途半端な係合がなくなり、また、このループは係合片に係合歯が噛合することによって形成されるため、一旦ループが形成されると、係止バンド部の係合歯、あるいは、係合貫通孔の係止片が破損しない限りこのループの解除ができないので、この封緘を解除された場合には、その痕跡が残る。
【００１９】
また、本体の側部に係止片を有する係合貫通孔を設けて、係止バンド部と離して形成できるので、本体の大きさを比較的大きく形成でき、標識表示部を必要な大きさで形成することができる。
【００２０】
上記の封緘具において、前記標識表示部は微小突起の集合体からなり、該微小突起は、押圧により圧壊し、圧壊せずに残っている背景と異なる光沢となるように形成する。
【００２１】
この微小突起の寸法は、径が０．１ｍｍφ〜０．３ｍｍφ、好ましくは０．２ｍｍφで、高さが０．１ｍｍ〜０．４ｍｍ，好ましくは０．２５ｍｍで、隣接する距離が０．０５ｍｍ〜０．１５ｍｍ、好ましくは０．１ｍｍで形成される。
【００２２】
この構成によれば、封印などを表示する標識表示部が微小突起群で形成されているので、刻印を押した時に、押圧を受けた微小突起が破損し、破損しない微小突起で形成される背景と異なる光沢を放つ圧壊した微小突起群により、刻印が表示される。
【００２３】
２）前記標識表示部の微小突起の集合体は、押圧により圧壊する際に白化現象を生ずる材料によって構成されている。
【００２４】
この構成により、合成樹脂（プラスチック）製品が強い応力を受けた時にその部分が白く見えるようになる白化現象により、微小突起の圧壊部分が白化するので、刻印が白く浮き上がり、刻印を識別し易くなる。この白化現象は白化用充填物を混合することにより、更に発生し易くすることができる。
【００２５】
３）そして、上記封緘具において、前記係止バンド部の前記本体との接続部近傍に手操作による破断が可能な脆弱部を設けて形成する。
【００２６】
この脆弱部は、引張については、他の部分と同等以上の強度を有するが、折り曲げや捩じりに弱い部分であり、偏平な部材や複数の細柱や穿孔を有する帯の部分等で形成され、鋏やペンチ等のカッターを用いずに手操作のみで分断できる部分である。
【００２７】
封緘具に、この脆弱部が設けられていることにより、鋏やペンチ等の道具を使用せずに封緘を簡単に解く事ができるので、封緘を解除する際の作業効率が著しく向上する。
【００２８】
【発明の実施の形態】
以下図面に基づき本発明による封緘具の実施の形態について説明する。
【００２９】
〔第１の実施の形態〕
図１〜図８に示すように、本発明の第１の実施の形態の封緘具２０は、ナイロン、低密度ポリエチレン、ポリプロピレン等の合成樹脂で一体成形され、標識表示面２２を有する板状の本体２１と、この本体２１の上端面２１ｕに一端が接続された係止バンド部２３と、この上端面２１ｕに一端側２５ｕが開口し他端側２５ｄが下側に開口する、係合片２６を有する係合貫通孔２５とから形成される。
【００３０】
また、係止バンド部２３には、係止歯２４を長手方向に複数個連続して配列し鋸歯状に設ける。この係止歯２４は係合貫通孔２５に対して挿入方向Ａにおいては挿通可能に形成されるが、挿入方向Ａと逆方向Ｂにおいては，図８に示すように係合片２６と係合して移動できないように、先端側の傾斜面２４ａと後端側の垂直面２４ｂとで形成する。
【００３１】
この係止歯２４を係止バンド部２３の側部でなく表裏面側に設ける構成にすると、係止歯２４を大きく形成できると共に、係止バンド部２３はバンドの側面側には曲がり難く、バンドの表裏側に曲がり易くなり、折り曲げ方向が定まるので、係止バンド部２３を折り曲げて係合貫通孔２５に挿入する時に非常に操作し易くなる。
【００３２】
そして、本体２１の表面に形成される標識表示部２２は、刻印時の押圧により圧壊し、圧壊せずに残っている背景と異なる光沢となる微小突起２２ｐの集合体で形成し、この微小突起２２ｐ群で標識表示部２２を覆う。
【００３３】
この微小突起２２ｐは、径が０．１ｍｍφ〜０．３ｍｍφ、好ましくは０．２ｍｍφで、高さが０．１ｍｍ〜０．４ｍｍ、好ましくは０．２５ｍｍで、隣接する距離が０．０５ｍｍ〜０．１５ｍｍ，好ましくは０．１ｍｍで形成する。
【００３４】
また、標識表示部２２の微小突起２２ｐ部分が圧壊によってプラスチックの白化現象が生じるように、封緘具２０を白化現象が生じる材料、例えば、ポリプロピレン等の合成樹脂で製造する。なお、微小突起２２ｐ部分が白化すればよいので、可能であれば部分的に白化し易い材料で形成したり、白化用充填物を添加してもよい。
【００３５】
なお、係合貫通孔２５の入口側開口部２５ｕの両脇に鋳びけ防止穴２７を設けて、凝固収縮による係合貫通孔２５の変形を防止して、係合貫通孔２５の寸法精度を確保する。
【００３６】
そして、この係合貫通孔２５は、必ずしも、係止バンド部２３が接続する上端面２１ｕに開口部を設ける必要は無く、開口部を側端面に形成し、例えば図３における水平方向に係合貫通孔２５を設けてもよく、また、開口部を側端面と下端面に形成し、係合貫通孔２５を傾斜させて設けてもよく、板状の本体の一部分に設けてあればよい。
【００３７】
以上の構成の封緘具２０によれば、鋸歯状に係合歯２４が複数個並んだ係止バンド部２３を係止片２６を有する係合貫通孔２５に挿通し、先端を引張ることにより、順次、係合歯２４が係合貫通孔２５の係止片２６に係合するので、簡単にループを簡単に必要とされる最小ループ状態に形成して、封緘することができる。
【００３８】
そして、係止バンド部２３を係合貫通孔２５に挿通するだけで、ループの形成が確実にできるので、中途半端な係合状態を回避でき、確実に封緘できる。それと共に、一旦ループが形成されると、このループは係止バンド部２３の係合歯２４、あるいは、係合貫通孔２５の係止片２６が破損しない限り解除できないので、不正に解除された場合には、その痕跡が残る。
【００３９】
また、本体２１の上端面２１ｕに係止バンド部２３を接続し、また、係合貫通孔２５もこの上端面２１ｕに設けているので、本体２１の表面に設ける標識表示部２２を必要に応じて大きく形成することができると共に、ループがＵ字形状になり、標識表示部２２を見やすい位置に確実に保持できる。そのため、見栄えもよい。
【００４０】
また、標識表示部２２を、微小突起２２ｐ群で覆って形成しているので、刻印を押した時に刻印の凸部で押圧された部分の微小突起２２ｐが破損するので、この微小突起２２ｐの凹凸により、刻印が表示される。
【００４１】
また、標識表示部２２の微小突起２２ｐを圧壊時に白化現象を発生する材料で形成すると、刻印を押接した時に微小突起の圧壊部分が白化し、刻印が白く浮き上がるので、更に識別し易くなる。
【００４２】
〔第２の実施の形態〕
次に、図９〜図１５に示す本発明の第２の実施の形態の封緘具２０Ａについて説明する。
【００４３】
この第２の実施の形態の封緘具２０Ａは、標識表示面２２Ａが微小突起群で形成されていないことと、係止バンド部２３Ａの本体２１Ａとの接続部近傍に手操作による破断が可能な脆弱部２８Ａを設けたことが相違し、他は同じである。
【００４４】
標識表示面２２Ａを平面で形成した場合には、刻印を押圧により刻印することは難しいが、印刷やシールによる標識を付与することができる。
【００４５】
そして、脆弱部２８Ａは、引張については、係止バンド部の他の部分や係合部分の係合時と略同等以上の強度を有するが、折り曲げや捩じりに弱い部分であり、鋏やペンチ等のカッターを用いずに手操作のみで分断できるように形成される部分である。
【００４６】
この第２の実施の形態の封緘具２０Ａでは、脆弱部２８Ａは、図１５に示すように本体２１Ａの上端面２１Ａｕに基部２８ａを設け、この基部２８ａに偏平部材２８ｂと両隣の細柱２８ｃを植立し、これらで、係止バンド部２３Ａの下側の円柱部２３Ａａとこの円柱部２３Ａａの側面から三角状に広がって形成された支持部２８ｄを支持する構造にしている。
【００４７】
手で本体２１Ａを保持し、別の手で係止バンド部２３Ａの根元を持って、部分を捩じると、先ず、細柱２８ｃが、次に偏平部材２８ｂが破損し、脆弱部２８Ａが切断される。
【００４８】
以上の構成の封緘具２０Ａによれば、脆弱部２８Ａを設けているので、鋏やペンチ等の道具を使用せずに封緘を簡単に解く事ができるようになり、作業効率を著しく向上することができる。
【００４９】
【発明の効果】
以上の説明から明らかなように、本発明に係る封緘具によれば、次のような効果を奏することができる。
【００５０】
１）係止バンド部を、係合貫通孔に対して挿入方向においては挿通可能で、かつ、挿入方向と逆方向においては係合貫通孔の係合片と係合して移動不能とする係止部を係止バンド部の長手方向に複数個設けているので、鋸刃状に係合歯が並んだ係止バンド部を係合貫通孔に挿通し、先端を引張ることにより、順次、係合歯を係合貫通孔の係止片に係合させて最小ループを簡単に形成して、封緘することができる。そのため、係止バンド部を係合貫通孔に挿通するだけで、ループの形成が確実にできる。
【００５１】
この係止バンド部は帯状に形成されているので、フィラメント状のものより、断面積を大きく取れ、引張強度を大きくでき、タクシーメータ等の計量器検定用として小さな部分の封緘に使用する場合でも、係止バンド部の先端を引張ってループを小さくする際の破損の恐れをなくすことができる。
【００５２】
また、係止バンド部が帯状であるので持ちやすく、先端の帯状部分や係合歯の両側部に広がる平坦な帯状部分が案内の役割を果たすので、係合貫通孔に挿通し易い。
【００５３】
２）また、封印などを表示する標識表示部が微小突起群で形成しているので、刻印を押した時に押圧を受けた微小突起を破損させて、微小突起群に凹凸を発生させることにより、刻印を明瞭に表示できる。
【００５４】
３）この標識表示部の微小突起を圧壊時に白化現象を発生する材料で形成することにより、微小突起の圧壊部分が白化し、刻印が白く浮き上がるので、識別を容易なものとすることができる。
【００５５】
４）更に、係止バンド部の本体との接続部近傍に手操作による破断が可能な脆弱部を設けて形成することにより、鋏やペンチ等の道具を使用せずに封緘を簡単に解く事ができるようになるので、作業効率を著しく向上することができる。
【図面の簡単な説明】
【図１】本発明に係る第１の実施の形態の封緘具の斜視図である。
【図２】図１の封緘具の正面図で、（ａ）は開放状態を示し、（ｂ）は係止バンド部を係合貫通孔に挿通した状態を示す。
【図３】図１の封緘具の係止バンド部の先端側を省略した正面図である。
【図４】図１の封緘具の平面図である。
【図５】図１の封緘具の底面図である。
【図６】図２のＸ−Ｘ矢視図である。
【図７】図１の封緘具の係合貫通孔を示す断面斜視図である。
【図８】図１の封緘具の係止バンド部と係合貫通孔の係合状態を示す断面を含む正面図である。
【図９】本発明に係る第２の実施の形態の封緘具の斜視図である。
【図１０】図９の封緘具の正面図である。
【図１１】図９の封緘具の係止バンド部の先端側を省略した正面図である。
【図１２】図９の封緘具の平面図である。
【図１３】図９の封緘具の底面図である。
【図１４】図１１のＸ−Ｘ矢視図である。
【図１５】図９の封緘具の脆弱部を示す部分斜視図である。
【図１６】従来技術の封緘具を示す一部断面を含む正面図である。
【図１７】図１６の封緘具のループ形成状態を示す図で、（ａ）は係合部分を、（ｂ）はループの状態を示す。
【符号の説明】
２０、２０Ａ，２０Ｂ    封緘具
２１，２１Ａ，２１Ｂ    本体
２２，２２Ａ，２２Ｂ    標識表示部
２３，２３Ａ，２３Ｂ    係止バンド部
２４，２４Ａ，２４Ｂ    係止歯
２５，２５Ａ，２５Ｂ    係合貫通孔
２６，２６Ａ，２６Ｂ    係合片
２７，２７Ａ，２７Ｂ    鋳びけ防止穴
２８  脆弱部
【図１】
0004367877.tif 000002
【図２】
0004367877.tif 000003
【図３】
0004367877.tif 000004
【図４】
0004367877.tif 000005
【図５】
0004367877.tif 000006
【図６】
0004367877.tif 000007
【図７】
0004367877.tif 000008
【図８】
0004367877.tif 000009
【図９】
0004367877.tif 000010
【図１０】
0004367877.tif 000011
【図１１】
0004367877.tif 000012
【図１２】
0004367877.tif 000013
【図１３】
0004367877.tif 000014
【図１４】
0004367877.tif 000015
【図１５】
0004367877.tif 000016
【図１６】
0004367877.tif 000017
【図１７】
0004367877.tif 000018